(57)【要約】【課題】配線機器がテレビ台の棚の中でスペースを占有する事無く、またハブやルータといった配線機器に詳しくない人でも容易にテレビ台に設置された電子機器と配線機器とを接続可能とするテレビ台を提供することを目的とする。【解決手段】天板１０１，底板１０１と鉛直方向に重なる電子機器設置用の棚１０２と、天板１００と底板１０１と棚１０２を連繋する側板１０３、１０４および裏板１０５と，配線機器１２０から構成され、天板１００、底板１０１、側板１０３、１０４、裏板１０５に少なくとも一つの中空の穴を配線機器収容部１２１として設け、配線機器収容部１２１に配線機器１２０を収容することにより、配線機器１２０及び配線機器１２０に接続されたケーブル１３０をテレビ台内部に収容する。【選択図】  図１
2004328643.tif 000002
【特許請求の範囲】
【請求項１】
複数の電子機器を設置することができるテレビ台において、天板と，底板と，鉛直方向に重なる電子機器設置用の複数の棚と、前記天板と底板と複数の棚を連繋する２つの側板および裏板と，配線機器から構成され、前記天板、前記底板、前記側板、前記裏板に少なくとも一つの中空の穴を配線機器収容部として設け、前記配線機器収容部に前記配線機器を収容することを特徴とするテレビ台。
【請求項２】
２つの側板および裏板を少なくとも一つの柱に置き換えて構成した請求項１記載のテレビ台。
【請求項３】
テレビ台の裏板前面、裏板後面、天板上面に少なくとも一つのコネクタを具備し、前記コネクタはテレビ台に設置された電子機器および、テレビ台外部の電子機器と接続されることを特徴とする請求項１記載のテレビ台。
【請求項４】
テレビ台の柱側面、天板上面に少なくとも一つのコネクタを具備し、前記コネクタはテレビ台に設置された電子機器および、テレビ台外部の電子機器と接続されることを特徴とする請求項２記載のテレビ台。
【請求項５】
コネクタと配線機器をケーブルで接続し、前記コネクタから前記配線機器までの間にテレビ台内部に中空の穴をケーブル収容部として設け、前記ケーブル収容部に前記ケーブルを収容することを特徴とする請求項３，４記載のテレビ台。
【請求項６】
テレビ台の天板前面、側板前面、底板前面に少なくとも一つの表示部を具備し、前記表示部はテレビ台に収容された配線機器の状態を表示することを特徴とする請求項１記載のテレビ台。
【請求項７】
テレビ台の天板前面、底板前面、柱側面に少なくとも一つの表示部を具備し、前記表示部はテレビ台に収容された配線機器の状態を表示することを特徴とする請求項２記載のテレビ台。
【請求項８】
表示部と配線機器をケーブルで接続し、前記表示部から前記配線機器までの間にテレビ台内部に中空の穴をケーブル収容部として設け、前記ケーブル収容部に前記ケーブルを収容することを特徴とする請求項６，７記載のテレビ台。
【請求項９】
テレビ台の天板前面、側板前面、底板前面に少なくとも一つのスイッチを具備し、前記スイッチは配線機器を制御することを特徴とする請求項１記載のテレビ台。
【請求項１０】
テレビ台の天板前面、柱側面、底板前面に少なくとも一つのスイッチを具備し、前記スイッチは配線機器を制御することを特徴とする請求項２記載のテレビ台。
【請求項１１】
スイッチと配線機器をケーブルで接続し、前記スイッチから前記配線機器までの間にテレビ台内部に中空の穴をケーブル収容部として設け、前記ケーブル収容部に前記ケーブルを収容することを特徴とする請求項９，１０記載のテレビ台。
【請求項１２】
テレビ台の側板外側面、側板前面、天板前面、底板前面の全壁もしくは一部に沿って無線アンテナを具備し、前記無線アンテナは配線機器と接続することを特徴とする請求項１記載のテレビ台。
【請求項１３】
テレビ台の天板前面、柱側面、底板前面の全壁もしくは一部に沿って無線アンテナを具備し、前記無線アンテナは配線機器と接続することを特徴とする請求項２記載のテレビ台。
【請求項１４】
無線アンテナと配線機器をケーブルで接続し、前記無線アンテナから前記配線機器までの間にテレビ台内部に中空の穴をケーブル収容部として設け、前記ケーブル収容部に前記ケーブルを収容することを特徴とする請求項１３，１４記載のテレビ台。
【請求項１５】
配線機器収容部から配線機器を着脱可能とすることを特徴とする請求項１または２記載のテレビ台。
【請求項１６】
配線機器収容部の少なくとも一面は開口し、前記配線機器収容部を規定の大きさ、形状に定め前記配線機器収容部の一面に規定の配置に定められた複数コネクタを具備することを特徴とする請求項１５記載のテレビ台。
【請求項１７】
配線機器収容部に取り付け可能な配線機器において、規定の大きさ、形状で形成され、前記配線機器の一面に規定の配置に定められた複数コネクタを具備することを特徴とする請求項１５記載の配線機器。
【請求項１８】
配線機器収容部に具備された複数コネクタと、配線機器に具備された複数コネクタは、互いに対向して設置されたプラグ／ジャック方式のコネクタであることを特徴とする請求項１６、１７記載のテレビ台と配線機器。
【発明の詳細な説明】
【０００１】
【発明の属する技術分野】
本発明はテレビ台に関し、詳しくはテレビ台に設置された複数電子機器間を配線機器を通じて接続配線するケーブル類、前記配線機器類の収容構造に関する。
【０００２】
【従来の技術】
テレビジョン受信機などのテレビ台は一般に、天板と，底板と，前記天板と底板とを連繋する２つの側板および裏板と，ヒンジ機構により両開き可能な前面扉と，前記底板の下面４箇所に取り付けたキャスター等を備えている。テレビ台に設置される電子機器間の接続は裏板に設けられた穴を通じてケーブル接続される（例えば特許文献１参照。）。
【０００３】
【特許文献１】
特開２０００−３３３０９９号公報
【０００４】
【発明が解決しようとする課題】
しかしながらテレビ台に設置される複数電子機器において、電子機器間を接続する際に、間に配線機器を必要とする接続形態が増えてきている。例えば近年イーサネット（Ｒ）コネクタを搭載した電子機器が増えているが、複数電子機器間をイーサネット（Ｒ）ケーブルでネットワークに繋ぐ時は複数電子機器間に別途ハブやルータといった配線機器を接続する必要がある。配線機器をテレビ台に設置した場合、複数電子機器からのケーブルが集中して配線機器に接続され、配線機器及びケーブルがテレビ台の棚の中でスペースを占有するという課題を有する。
【０００５】
また例えばルータには同じイーサネット（Ｒ）ケーブルを繋ぐコネクタでもＷＡＮ側、ＬＡＮ側と別れており、ケーブルの誤挿入を招くという課題を有する。
【０００６】
本発明は、上記従来の課題を解決するもので、配線機器がテレビ台の棚の中でスペースを占有する事無く、またハブやルータといった配線機器に詳しくない人でも容易にテレビ台に設置された電子機器と配線機器とを接続可能とするテレビ台を提供することを目的とする。
【０００７】
【課題を解決するための手段】
前記従来の課題を解決するために、本発明のテレビ台は天板と，底板と，鉛直方向に重なる電子機器設置用の複数の棚と、天板と底板と複数の棚を連繋する２つの側板および裏板と，配線機器から構成され、天板、底板、側板、裏板に少なくとも一つの中空の穴を配線機器収容部として設け、配線機器収容部に配線機器を収容する。本構成によって、配線機器および配線機器に接続されたケーブルをテレビ台内部に収容することで、テレビ台の棚のスペースを配線機器が占有することなく、また配線機器に詳しくない人でも容易に設置接続することができる。
【０００８】
【発明の実施の形態】
以下本発明の実施の形態について、図面を参照しながら説明する。
【０００９】
（実施の形態１）
図１は本発明の実施の形態１におけるテレビ台の外観斜視図を示す。図１に示す如く、本発明におけるテレビ台は天板１００，底板１０１，棚１０２と天板１００、底板１０１、棚１０２を連繋する側板１０３、側板１０４および裏板１０５と，天板１００前面に搭載されたスイッチ１１０、表示部１１１、無線アンテナ１１２と、天板１００上面に搭載されたコネクタ１１３と、裏板１０５前面に搭載されたコネクタ１１４と、コネクタ１１５と、裏板１０５後面に搭載されたコネクタ１１６と、天板１００内部に設けられた配線機器収容部１２１に収容された配線機器１２０と、ケーブル１３０で構成されている。配線機器１２０とスイッチ１１０、表示部１１１、無線アンテナ１１２、コネクタ１１３、コネクタ１１４、コネクタ１１５、コネクタ１１６はケーブル１３０で電気的に接続されている。
【００１０】
配線機器１２０は無線ＬＡＮ端末で、無線アンテナ１１２を通じてテレビ台の外部の無線機器との通信を行う。表示部１１１はＬＥＤで、無線ＬＡＮ端末の通信の状態を表示する。スイッチ１１０は無線ＬＡＮ端末の電源ＯＮ／ＯＦＦに用いられる。コネクタ１１３、コネクタ１１４、コネクタ１１５はイーサネット（Ｒ）コネクタで、テレビ台に設置された電子機器と無線ＬＡＮ端末の接続に用いられる。なおイーサネット（Ｒ）コネクタを別途搭載して、テレビ台外部の電子機器と無線ＬＡＮ端末との接続に用いてもよい。コネクタ１１６は電源コネクタで、無線ＬＡＮ端末への電源供給に用いられる。無線アンテナ１１２は無線ＬＡＮ端末用のアンテナで、テレビ台外部の無線機器との通信に用いられる。
【００１１】
尚、表示部１１１は側板１０３前面、側板１０４前面、底板１０１前面に搭載してもよく、ＬＥＤに限るものではなく、スイッチ１１０は側板１０３前面、側板１０４前面、底板１０１前面に搭載してもよく、電源ＯＮ／ＯＦＦに限るものではない。
【００１２】
またコネクタ１１３、コネクタ１１４、コネクタ１１５、コネクタ１１６はイーサネット（Ｒ）コネクタ、電源コネクタに限るものではなく、無線アンテナ１１２は側板１０３側面及び前面、側板１０４側面及び前面、底板１０１前面に搭載してもよく、無線ＬＡＮ端末用のアンテナに限るものではない。
【００１３】
また、配線機器は底板１０１、側板１０３、側板１０４、裏板１０５内部に収納してもよく、無線ＬＡＮ端末に限るものではない。
【００１４】
図２は図１を側面方向から見た断面図を示す。図２に示す様に、天板１００、裏板１０５内部に中空の穴を配線機器収容部１２１及びケーブル収容部２０１として設け、配線機器１２０は配線機器収容部１２１に収容されている。配線機器収容部１２１とケーブル収容部２０１がテレビ台内部で繋がっており、表示部１１１、コネクタ１１３、コネクタ１１４、コネクタ１１５、コネクタ１１６がケーブル収容部２０１を通じてケーブル１３０で配線機器１２０と接続されている。
【００１５】
なおスイッチ１１０、無線アンテナ１１２も同様にケーブル収容部２０１を通じてケーブル１３０で配線機器１２０と接続されている。なお配線機器収容部１２１は天板１００に限らず、側板１０３、側板１０４、裏板１０５に設けてもよく、ケーブル収容部１２１は天板１００、裏板１０５内部に限り設けるものではない。
【００１６】
以上の様に構成したテレビ台にテレビジョン受信機を含む複数電子機器を設置した場合のイーサネット（Ｒ）ケーブルを用いた接続方法について簡単に説明する。なお本実施例に用いるテレビ台に設置される電子機器は、イーサネット（Ｒ）コネクタを搭載していることを特徴としている。まずテレビ台の天板１００上面にテレビジョン受信機を設置する。次に棚１０２及び底板１０１の上面に電子機器を設置する。テレビジョン受信機に搭載されているイーサネット（Ｒ）コネクタとコネクタ１１３をイーサネット（Ｒ）ケーブルで接続する。前記棚１０２に設置された電子機器に搭載されているイーサネット（Ｒ）コネクタとコネクタ１１４とを、前記底板に設置された電子機器のイーサネット（Ｒ）コネクタとコネクタ１１５とをイーサネット（Ｒ）ケーブルで接続する。テレビ台裏板１０５後面に搭載されたコネクタ１１６に電源プラグを挿し込み、スイッチ１１０を押すことで配線機器が稼動し、テレビ台に設置された複数電子機器は配線機器１２０を通じてテレビ台外部の無線機器との接続が可能となる。
【００１７】
尚、天板１００の上面に設置する機器はテレビジョン受信機に限るものではない。
【００１８】
この時、図１から分かるように配線機器１２０及び配線機器１２０に接続されるケーブル１３０がテレビ台内部に収容されることで配線機器１２０及びケーブル１３０がテレビ台内部の棚のスペースを占有すること無く設置することが可能となる。
【００１９】
また例えばテレビジョン受信機にはコネクタ１１３と、テレビ台に設置される各電子機器に一意に繋げるコネクタがテレビ台に配置されている為、容易に設置接続することが可能となる。
【００２０】
（実施の形態２）
本発明に係る実施の形態２のテレビ台は実施の形態１記載のテレビ台側板１０３、側板１０４及び裏板１０５の代わりに柱を用いた構造となっている。
【００２１】
図３は実施の形態２におけるテレビ台の外観斜視図を示す。天板３００，底板３０１，棚３０２と、天板３００、底板３０１、棚３０２を連繋する柱３０３と柱３０４と，天板３００前面に搭載されたスイッチ３１０、表示部３１１、無線アンテナ３１２と、天板３００上面に搭載されたコネクタ３１３、天板３００内部に設けられた配線機器収容部３２１に収納された配線機器３２０、柱３０３側面に搭載されたコネクタ３１４、コネクタ３１５、コネクタ３１６と、ケーブル３１３から構成される。配線機器３２０とスイッチ３１０、表示部３１１、無線アンテナ３１２、コネクタ３１３、コネクタ３１４、コネクタ３１５、コネクタ３１６はケーブル３３０で電気的に接続されている。
【００２２】
配線機器３２０は無線ＬＡＮ端末で、無線アンテナ３１２を通じてテレビ台の外部の無線機器との通信を行う。表示部３１１はＬＥＤで、無線ＬＡＮ端末の通信の状態を表示する。スイッチ３１０は無線ＬＡＮ端末の電源ＯＮ／ＯＦＦに用いられる。コネクタ３１３、コネクタ３１４、コネクタ３１５はイーサネット（Ｒ）コネクタで、テレビ台に設置された電子機器と無線ＬＡＮ端末の接続に用いられる。なおイーサネット（Ｒ）コネクタを別途搭載して、テレビ台外部の電子機器と無線ＬＡＮ端末との接続に用いてもよい。コネクタ３１６は電源コネクタで、無線ＬＡＮ端末への電源供給に用いられる。無線アンテナ３１２は無線ＬＡＮ端末用のアンテナで、テレビ台外部の無線機器との通信に用いられる。
【００２３】
尚、配線機器３２０は柱３０３内部、柱３０４内部、底板３０１内部に収納してもよく、また無線ＬＡＮ端末に限るものではない。
【００２４】
尚、表示部３１１は柱３０３側面、柱３０４側面、底板３０１前面に搭載してもよく、またＬＥＤに限るものではない。
【００２５】
尚、スイッチ３１０は柱３０３側面、柱３０４側面、底板３０１前面に搭載してもよく、また電源ＯＮ／ＯＦＦに限るものではない。
【００２６】
尚、コネクタ３１４、コネクタ３１５、コネクタ３１６は柱３０４側面に搭載してもよく、またイーサネット（Ｒ）コネクタ、電源コネクタに限るものではない。
【００２７】
尚、無線アンテナ３１２は柱３０３側面、柱３０４側面、底板３０１前面に搭載してもよく、また無線ＬＡＮ端末用のアンテナに限るものではない。
【００２８】
（実施の形態３）
図４は図３を側面方向から見た断面図を示す。図４に示す様に、天板３００及び柱３０３内部に中空の穴を配線機器収容部３２１及びケーブル収容部４０１として設け、配線機器３２０は配線機器収容部３２１に収納される。配線機器収容部３２１とケーブル収容部４０１がテレビ台内部で繋がっており、図４に示す通り表示部３１１、コネクタ３１３、コネクタ３１４、コネクタ３１５、コネクタ３１６と配線機器３２０がケーブル収容部４０１を通じてケーブル３３０で接続されている。
【００２９】
尚、スイッチ３１０、無線アンテナ３１２も同様にケーブル収容部３０１を通じてケーブル３３０で配線機器３２０と接続されている。
【００３０】
尚、配線機器収容部３２１は天板３００に限らず、柱３０３、柱３０４、底板３０１に設けてもよい。
【００３１】
尚、ケーブル収容部４０１は天板３００、柱３０３に限り設けるものではない。
【００３２】
本発明に係る実施の形態３のテレビ台は第１及び実施の形態２記載のテレビ台から配線機器を着脱可能な構造となっている。
【００３３】
図５は実施の形態３におけるテレビ台天板部の斜視図を示す。テレビ台天板５００と配線機器５２０からなり、テレビ台天板５００に設けられた配線機器収容部５４０は即ちアダプタであり、天板前面に設けられ、規定の大きさと形状に定められた空間を有し、一面は無蓋である。また、規定の位置に定められたプラグ式のコネクタ５１０を無蓋の面と反対の一面に有している。配線機器５２０は配線機器収納部５４０と同じ大きさと形状に定められ、配線機器５２０に配線機器収容部５４０に設けられたプラグ式のコネクタ５１０と対向して設置されているジャック式のコネクタ５１１を一面に搭載している。配線機器収容部のコネクタ５１０はテレビ台に搭載されているコネクタ、スイッチ、無線アンテナ、表示部とケーブル５３０で接続されている。
【００３４】
尚、ケーブル５３０はケーブル収容部５４１に収納されている。
【００３５】
尚、コネクタ５１０がジャック式で、コネクタ５１１がプラグ式であってもよい。
【００３６】
以上の様に構成されたテレビ台の天板５００および配線機器５２０において、配線機器５２０を配線機器収納部５４０に設けられたコネクタ５１０と配線機器５２０に設けられたコネクタ５１１を対向させる形で配線機器収納部５４０に押しこむ事により、配線機器５２０に設けられたコネクタ５１１は配線機器収納部の対応するコネクタ５１０に対して一斉に押し込まれ、一挙動で配線機器５２０と配線機器収納部５４０とが電気的接続が完了する。
【００３７】
また、前記配線機器５２０と同じ形状、大きさ、コネクタ配置で、別の機能を有する配線機器を装着する事で、テレビ台に別の機能の配線機能を持たせる事が可能となる。
【００３８】
実施の形態３から分かるように、配線機器を取り外し可能にして、実施の形態１及び実施の形態２に見られる無線ＬＡＮ端末のみならず、ＨＵＢやルータ、モデムといった他の機能を有する配線機器を装着する事によりテレビ台に対して、用途に応じた機能を持たせることが可能となる。
【００３９】
【発明の効果】
以上のように、本発明のテレビ台によれば配線機器及び配線機器に接続されるケーブルをテレビ台内部に収容させることで配線機器がテレビ台の棚のスペースを占有する事無く、またハブやルータといった配線機器に詳しくない人でも容易にテレビ台に設置された電子機器と配線機器とを接続可能とするテレビ台を提供することができる。
【図面の簡単な説明】
【図１】本発明の実施の形態１におけるテレビ台の外観斜視図
【図２】本発明の実施の形態１におけるテレビ台の断面図
【図３】本発明の実施の形態２におけるテレビ台の外観斜視図
【図４】本発明の実施の形態３における側面方向から見たテレビ台の断面図
【図５】本発明の実施の形態３におけるテレビ台及び配線機器の外観斜視図
【符号の説明】
１００  天板
１０１  底板
１０２  棚
１０３、１０４  側板
１０５  裏板
１１０  スイッチ
１１１  表示部
１１２  無線アンテナ
１１３、１１４、１１５、１１６  コネクタ
１２０  配線機器
１３０  ケーブル
１２１  配線機器収容部
２０１  ケーブル収容部
３００  天板
３０１  底板
３０２  棚
３０３、３０４  柱
３１０  スイッチ
３１１  表示部
３１２  無線アンテナ
３１３、３１４、３１５、３１６  コネクタ
３２０  配線機器
３３０  ケーブル
３２１  配線機器収容部
４０１  ケーブル収容部
５００  天板
５１０、５１１  コネクタ
５２０  配線機器
５３０  ケーブル
５４０  配線機器収容部
５４１  ケーブル収容部
【図１】
2004328643.tif 000003
【図２】
2004328643.tif 000004
【図３】
2004328643.tif 000005
【図４】
2004328643.tif 000006
【図５】
2004328643.tif 000007